(57)【要約】  楽曲の再生出力に際して、属性情報取得部（２７０）が、楽曲の再生楽曲属性情報を、楽曲情報供給部（２２０）から取得する。そして、属性情報取得部（２７０）は、再生楽曲属性情報を指定属性情報として、管理装置（１００）へ送信する。管理装置（１００）では、指定属性情報を受信すると、導出部（１４０）が、記憶部（１２０）の調整情報（ＴＵＩ）から、指定属性情報に対応する設定用オクターブバンド情報、設定用楽器出現頻度情報及び設定用Ｌ／Ｒ位相差情報を取得する。引き続き、導出部（１４０）は、これらの情報に基づいて、音質調整設定値の更新情報、スピーカ設定の更新情報及び信号加工設定の更新情報を生成し、設定更新情報として音響装置（２００）へ送信する。設定更新情報を受けた音響装置（２００）では、調整設定部（２３０）に設定更新情報の内容が設定される。
2016151721.tif 000002
【特許請求の範囲】
【請求項１】
地域情報を含む属性情報と、楽曲の再生に関する調整情報とを関連付けて記憶する記憶部と；
音響装置から、指定された地域に関する指定地域情報を取得する第１取得部と；
前記記憶部に記憶されている情報及び前記指定地域情報に基づいて、前記音響装置の設定更新情報を導出し、前記設定更新情報を前記音響装置に送信する導出部と；
を備えることを特徴とする管理装置。
【請求項２】
楽曲情報と、前記楽曲情報に対応付けられている楽曲属性情報とを取得する第２取得部と；
前記第２取得部により取得された楽曲情報を解析して前記楽曲情報の特性を示す楽曲特性情報を生成し、前記楽曲特性情報及び前記第２取得部により取得された楽曲属性情報に基づいて、前記属性情報と関連付けて前記記憶部に記憶される前記調整情報を生成する生成部と；を更に備える、
ことを特徴とする請求項１に記載の管理装置。
【請求項３】
前記指定地域情報に含まれる指定地域は、前記音響装置において再生される楽曲に対応する地域である、ことを特徴とする請求項１に記載の管理装置。
【請求項４】
前記調整情報は、周波数特性に関する情報であり、
前記導出部は、前記指定地域情報に対応する前記周波数特性を反映した音質更新情報を、前記設定更新情報として導出する、
ことを特徴とする請求項１に記載の管理装置。
【請求項５】
前記調整情報は、所定の楽器の出現頻度であり、
前記導出部は、前記指定地域情報に対応する前記所定の楽器の出現頻度を反映した音質更新情報を、前記設定更新情報として導出する、
ことを特徴とする請求項１に記載の管理装置。
【請求項６】
前記調整情報は、周波数特性に関する情報であり、
前記導出部は、前記指定地域情報に対応する前記周波数特性を反映した最適スピーカ構成の更新情報を、前記設定更新情報として導出する、
ことを特徴とする請求項１に記載の管理装置。
【請求項７】
前記調整情報は、左音声信号と左音声信号との位相差であり、
前記導出部は、前記指定地域情報に対応する前記位相差を反映した拡がり感付加処理の更新情報を、前記設定更新情報として導出する、
ことを特徴とする請求項１に記載の管理装置。
【請求項８】
前記属性情報には、作製年情報及びジャンル情報の少なくとも一方が含まれ、
前記第１取得部は、前記音響装置において再生される楽曲の作製年情報及びジャンル情報の少なくとも一方を更に取得し、
前記導出部は、前記指定地域情報に加え、前記第１取得部により取得された前記作成年情報及びジャンル情報の少なくとも一方に更に基づいて、前記更新設定情報を導出する、
ことを特徴とする請求項１に記載の管理装置。
【請求項９】
再生する楽曲に対応する地域に関する地域情報を含む属性情報を取得する第１取得部と；
前記属性情報を指定属性情報として、管理装置へ送信する送信部と；
前記指定属性情報に基づいて導出された楽曲の再生に関する設定更新情報を、前記管理装置から取得する第２取得部と；
前記第２取得部により取得された前記設定更新情報に基づいて、前記楽曲の再生を制御する制御部と；
を備えることを特徴とする音響装置。
【請求項１０】
前記指定属性情報には指定地域が含まれ、前記指定地域は、再生する楽曲に対応する地域である、ことを特徴とする請求項９に記載の音響装置。
【請求項１１】
前記指定属性情報には、前記再生する楽曲の作製年情報及びジャンル情報の少なくとも一方が含まれる、ことを特徴とする請求項９に記載の音響装置。
【請求項１２】
地域情報を含む属性情報と、楽曲の再生に関する調整情報とを関連付けて記憶する記憶部を備える管理装置において使用される音響調整管理方法であって、
音響装置から、指定された地域に関する指定地域情報を取得する取得工程と；
前記記憶部に記憶されている情報及び前記指定地域情報に基づいて、前記音響装置の設定更新情報を導出する導出工程と；
前記設定更新情報を前記音響装置に送信する送信工程と；
を備えることを特徴とする音響調整管理方法。
【請求項１３】
管理装置が有するコンピュータに、請求項１２に記載の音響調整管理方法を実行させる、ことを特徴とする音響調整管理プログラム。
【請求項１４】
管理装置が有するコンピュータにより読み取り可能に、請求項１３に記載の音響調整管理プログラムが記録されている、ことを特徴とする記録媒体。
【請求項１５】
楽曲を再生する音響装置において使用される楽曲再生方法であって、
再生する楽曲に対応する地域に関する地域情報を含む属性情報を取得する第１取得工程と；
前記属性情報を指定属性情報として、管理装置へ送信する送信工程と；
前記指定属性情報に基づいて導出された楽曲の再生に関する設定更新情報を、前記管理装置から取得する第２取得工程と；
前記第２取得工程において取得された前記設定更新情報に基づいて、前記楽曲の再生を制御する制御工程と；
を備えることを特徴とする楽曲再生方法。
【請求項１６】
音響装置が有するコンピュータに、請求項１５に記載の楽曲再生方法を実行させる、ことを特徴とする楽曲再生プログラム。
【請求項１７】
音響装置が有するコンピュータにより読み取り可能に、請求項１６に記載の楽曲再生プログラムが記録されている、ことを特徴とする記録媒体。
【発明の詳細な説明】
【技術分野】
【０００１】
本発明は、管理装置、音響調整管理方法、音響調整管理プログラム及び当該音響調整管理プログラムが記録された記録媒体、並びに、音響装置、楽曲再生方法、楽曲再生プログラム及び当該楽曲再生プログラムが記録された記録媒体に関する。
【背景技術】
【０００２】
従来から、楽曲コンテンツを再生する音響装置が広く普及している。そして、音響装置の普及により、多様な国や地域のユーザが、音響装置を操作して様々な国や地域の楽曲を聴取するようになっている。こうした楽曲聴取の国際化の動向により、楽曲を再生出力するに際して、適切な音声調整が不可欠となる。【０００３】
かかる楽曲聴取の国際化の動向に対応した音声調整技術として、近年では、ユーザの国籍等を考慮し、ユーザの嗜好に合った楽曲を再生出力する技術が提案されている（特許文献１参照：以下、「従来例」と呼ぶ）。この従来例の技術では、サウンド技術者が、様々な環境あるいはユーザの好みに応じた音声処理パラメータを予め複数生成しておく。こうした複数の音声処理パラメータを生成した状態で、サーバ装置が、端末装置から送られたユーザの国籍、人種、年齢、種別などによって示されるユーザプロファイル等を受信すると、ユーザプロファイル等をもとにユーザの好みを分析し、分析結果に基づいて音声処理パラメータを選択する。引き続き、サーバ装置が、当該音声処理パラメータの使用を端末装置に推奨する。そして、端末装置が推奨された音声処理パラメータを使用して音声処理を実行し、再生装置が音声処理結果を再生するようになっている。
【先行技術文献】
【特許文献】
【０００４】
【特許文献１】特開２０１４−９３５７７号公報
【発明の概要】
【発明が解決しようとする課題】
【０００５】
一方で、本願発明者の研究によって、楽曲が作製された国や地域によって、楽曲の特徴の傾向が異なることが判明した。具体的な例を図１（Ａ），（Ｂ）を参照して説明する。図１（Ａ），（Ｂ）は、それぞれ異なる国において作製された複数の楽曲を本願発明者が独自に解析し、その結果をオクターブバンド情報として示したものである。なお、オクターブバンド情報は、複数の楽曲を解析した結果の平均的な値を示しており、１０００［Ｈｚ］においてレベル［ｄＢ］を「０」とした場合の相対値で表現される情報となっている。【０００６】
図１（Ａ）と図１（Ｂ）とを比較すると、図１（Ａ）に対応する国で作製された楽曲は、図１（Ｂ）に対応する国で作製された楽曲に比べ、低域（１００Ｈｚ以下の帯域）が強い傾向があることが分かる。また、図１（Ｂ）に対応する国で作製された楽曲は、図１（Ａ）に対応する国で作製された楽曲に比べ、中域（５００Ｈｚ〜１ｋＨz周辺）が強い傾向があることが分かる。このように、本願発明者の研究から、楽曲が作製された国や地域によって、楽曲の特徴の傾向が異なることが判明し、楽曲を再生する際にも、国や地域に応じた音声調整が必要と考えられる。【０００７】
しかしながら、従来例の技術では、再生する楽曲が作製された国や地域という当該再生する楽曲に対応する地域属性については考慮していない。この結果、楽曲を再生出力するに際し、当該楽曲の地域属性に伴う楽曲特徴に対応して音声調整を行うことはできない。【０００８】
このため、様々な国や地域の楽曲の特徴に合った音声調整処理を行うことができる技術が望まれている。かかる要請に応えることが、本発明が解決すべき課題の一つとして挙げられる。
【課題を解決するための手段】
【０００９】
請求項１に記載の発明は、地域情報を含む属性情報と、楽曲の再生に関する調整情報とを関連付けて記憶する記憶部と；音響装置から、指定された地域に関する指定地域情報を取得する第１取得部と；前記記憶部に記憶されている情報及び前記指定地域情報に基づいて、前記音響装置の設定更新情報を導出し、前記設定更新情報を前記音響装置に送信する導出部と；を備えることを特徴とする管理装置である。【００１０】
請求項９に記載の発明は、再生する楽曲に対応する地域に関する地域情報を含む属性情報を取得する第１取得部と；前記属性情報を指定属性情報として、管理装置へ送信する送信部と；前記指定属性情報に基づいて導出された楽曲の再生に関する設定更新情報を、前記管理装置から取得する第２取得部と；前記第２取得部により取得された前記設定更新情報に基づいて、前記楽曲の再生を制御する制御部と；を備えることを特徴とする音響装置である。【００１１】
請求項１２に記載の発明は、地域情報を含む属性情報と、楽曲の再生に関する調整情報とを関連付けて記憶する記憶部を備える管理装置において使用される音響調整管理方法であって、音響装置から、指定された地域に関する指定地域情報を取得する取得工程と；前記記憶部に記憶されている情報及び前記指定地域情報に基づいて、前記音響装置の設定更新情報を導出する導出工程と；前記設定更新情報を前記音響装置に送信する送信工程と；を備えることを特徴とする音響調整管理方法である。【００１２】
請求項１３に記載の発明は、管理装置が有するコンピュータに、請求項１２に記載の音響調整管理方法を実行させる、ことを特徴とする音響調整管理プログラムである。【００１３】
請求項１４に記載の発明は、管理装置が有するコンピュータにより読み取り可能に、請求項１３に記載の音響調整管理プログラムが記録されている、ことを特徴とする記録媒体である。【００１４】
請求項１５に記載の発明は、楽曲を再生する音響装置において使用される楽曲再生方法であって、再生する楽曲に対応する地域に関する地域情報を含む属性情報を取得する第１取得工程と；前記属性情報を指定属性情報として、管理装置へ送信する送信工程と；前記指定属性情報に基づいて導出された楽曲の再生に関する設定更新情報を、前記管理装置から取得する第２取得工程と；前記第２取得工程において取得された前記設定更新情報に基づいて、前記楽曲の再生を制御する制御工程と；を備えることを特徴とする楽曲再生方法である。【００１５】
請求項１６に記載の発明は、音響装置が有するコンピュータに、請求項１５に記載の楽曲再生方法を実行させる、ことを特徴とする楽曲再生プログラムである。【００１６】
請求項１７に記載の発明は、音響装置が有するコンピュータにより読み取り可能に、請求項１６に記載の楽曲再生プログラムが記録されている、ことを特徴とする記録媒体である。
【図面の簡単な説明】
【００１７】
【図１】それぞれ異なる国で作製された楽曲を解析して得られたオクターブバンド情報の例を示す図である。
【図２】本発明の一実施形態に係る管理装置及び音響装置の構成を概略的に示すブロック図である。
【図３】図２の管理装置の記憶部に記憶される解析情報の内容を説明するための図である。
【図４】図２の管理装置の記憶部に記憶される調整情報の内容を説明するための図である。
【図５】図２の音響装置の調整設定部の構成を説明するための図である。
【図６】図２の音響装置による楽曲再生処理を説明するためのフローチャートである。
【図７】図２の管理装置による設定更新情報の導出処理を説明するためのフローチャートである。
【符号の説明】
【００１８】
１００  …  管理装置
１１０  …  送受信部（管理装置の第１取得部、第２取得部）
１２０  …  記憶部
１３０  …  生成部
１４０  …  導出部
２００  …  音響装置
２３９  …  制御部
２７０  …  属性情報取得部（音響装置の第１取得部）
２８０  …  送受信部（送信部、音響装置の第２取得部）
【発明を実施するための形態】
【００１９】
以下、本発明の一実施形態を、図２〜図７を参照して説明する。なお、以下の説明及び図面においては、同一又は同等の要素には同一の符号を付し、重複する説明を省略する。
【００２０】
［構成］
図２には、一実施形態に係る管理装置１００及び音響装置２００の概略的な構成がブロック図にて示されている。本実施形態では、管理装置１００は、例えば、建屋内の固定的な位置に配置されている。また、音響装置２００は、車両内に配置されている。そして、管理装置１００と音響装置２００とは、ネットワークを介して、通信可能となっている。また、管理装置１００と楽曲コンテンツサーバ３００とは、ネットワークを介して、通信可能となっている。
【００２１】
なお、管理装置１００は、音響装置２００と同様に構成された他の音響装置とも通信可能となっているが、図２においては、音響装置２００のみが代表的に示されている。
【００２２】
＜管理装置１００の構成＞
上記の管理装置１００の構成について、説明する。
【００２３】
管理装置１００は、図２に示されるように、送受信部１１０と、記憶部１２０とを備えている。また、管理装置１００は、生成部１３０と、導出部１４０とを備えている。
【００２４】
上記の送受信部１１０は、ネットワークを介して、楽曲コンテンツサーバ３００から解析用の楽曲コンテンツ（楽曲情報）ＭＵＩ＃ｐ（ｐ＝１，…）、及び、当該楽曲コンテンツＭＵＩ＃ｐに対応付けられた楽曲属性情報ＰＰＭ＃ｐを定期的に受信する。そして、送受信部１１０は、当該楽曲コンテンツＭＵＩ＃ｐ及び楽曲属性情報ＰＰＭ＃ｐを、生成部１３０へ送る。本実施形態では、「楽曲属性情報ＰＰＭ＃ｐ」には、楽曲コンテンツＭＵＩ＃ｐに対応する地域に関する情報、及び、楽曲コンテンツＭＵＩ＃ｐの作製年情報が含まれている。
【００２５】
また、送受信部１１０は、音響装置２００から、ネットワークを介して、指定属性情報ＰＰＤを受信する。そして、送受信部１１０は、当該指定属性情報ＰＰＤを導出部１４０へ送る。本実施形態では、「指定属性情報ＰＰＤ」には、音響装置２００において再生される楽曲に対応する地域（指定地域）に関する情報（指定地域情報）、及び、当該楽曲の作製年情報が含まれている。
【００２６】
また、送受信部１１０は、導出部１４０から送られた設定更新情報ＳＥＩを受ける。そして、送受信部１１０は、当該設定更新情報ＳＥＩを、ネットワークを介して、音響装置２００へ送信する。すなわち、送受信部１１０は、第１取得部、第２取得部の機能を果たすようになっている。
【００２７】
上記の記憶部１２０は、ハードディスク装置等の不揮発性の記憶装置を備えて構成されている。記憶部１２０には、管理装置１００で利用される様々な情報データが記憶されている。こうした情報データには、解析情報ＡＮＩ及び調整情報ＴＵＩが含まれている。この記憶部１２０には、生成部１３０及び導出部１４０がアクセス可能となっている。
【００２８】
解析情報ＡＮＩには、図３に示されるように、楽曲コンテンツＭＵＩ＃ｐに対応する楽曲の解析結果である楽曲解析情報ＭＡＩ＃ｐ（ｐ＝１，…）が含まれている。当該楽曲解析情報ＭＡＩ＃ｐには、楽曲属性情報ＰＰＭ＃ｐとともに、オクターブバンド情報ＯＣＢ＃ｐ、楽器出現頻度情報ＡＰＦ＃ｐ及びＬ／Ｒ位相差情報ＰＨＤ＃ｐが含まれている。この解析情報ＡＮＩは、生成部１３０が生成し、記憶部１２０内に格納する。
【００２９】
ここで、オクターブバンド情報ＯＣＢ＃ｐは、楽曲コンテンツＭＵＩ＃ｐに対応する楽曲について１／３オクターブバンド解析を行った結果であり、周波数特性に関する情報となっている。本実施形態では、オクターブバンド情報ＯＣＢ＃ｐは、１０００［Ｈｚ］においてレベル［ｄＢ］を「０」とした場合の相対値で表現される情報となっている。
【００３０】
また、楽器出現頻度情報ＡＰＦ＃ｐは、楽曲コンテンツＭＵＩ＃ｐに対応する楽曲について、ピアノやベース等の所定の楽器の再生音の出現頻度を算出した結果であり、当該所定の楽器の出現頻度に関する情報となっている。本実施形態では、所定の楽器は、ピアノ及びベースになっている。
【００３１】
また、Ｌ／Ｒ位相差情報ＰＨＤ＃ｐは、楽曲コンテンツＭＵＩ＃ｐに対応する楽曲について、左音声信号及び右音声信号の位相差解析を行った結果であり、左音声信号と右音声信号の位相差に関する情報になっている。
【００３２】
調整情報ＴＵＩには、図４に示されるように、地域ＡＲj（ｊ＝１，…）ごと及び当該地域ＡＲjに対応付けられた楽曲の作製年ＹＲk（ｋ＝１，…）ごとのオクターブバンド情報ＯＣＢj,k、楽器出現頻度情報ＡＰＦj,k及びＬ／Ｒ位相差情報ＰＨＤj,kが含まれている。この調整情報ＴＵＩは、生成部１３０が生成し、記憶部１２０内に格納する。
【００３３】
図２に戻り、上記の生成部１３０は、送受信部１１０から送られた楽曲コンテンツＭＵＩ＃ｐ（ｐ＝１，…）及び楽曲属性情報ＰＰＭ＃ｐを定期的に受ける。当該楽曲コンテンツＭＵＩ＃ｐ及び楽曲属性情報ＰＰＭ＃ｐを受けると、生成部１３０は、楽曲コンテンツＭＵＩ＃ｐに対応する楽曲の解析処理を行い、上述したオクターブバンド情報ＯＣＢ＃ｐ、楽器出現頻度情報ＡＰＦ＃ｐ及びＬ／Ｒ位相差情報ＰＨＤ＃ｐを生成する。そして、生成部１３０は、当該生成されたオクターブバンド情報ＯＣＢ＃ｐ、楽器出現頻度情報ＡＰＦ＃ｐ及びＬ／Ｒ位相差情報ＰＨＤ＃ｐを、楽曲属性情報ＰＰＭ＃ｐとともに、楽曲解析情報ＭＡＩ＃ｐとして、記憶部１２０内の解析情報ＡＮＩの記憶領域に格納する。
【００３４】
また、生成部１３０は、調整情報ＴＵＩを生成する。かかる調整情報ＴＵＩの生成に際して、生成部１３０は、記憶部１２０の解析情報ＡＮＩにアクセスして、楽曲解析情報ＭＡＩ＃ｐのオクターブバンド情報ＯＣＢ＃ｐ及び楽曲属性情報ＰＰＭ＃ｐを読み取る。引き続き、生成部１３０は、オクターブバンド情報ＯＣＢ＃ｐ（ｐ＝１，…）から、地域ＡＲj（ｊ＝１，…）において作製年ＹＲk（ｋ＝１，…）に作製された複数の楽曲のオクターブバンド情報を抽出する。次いで、生成部１３０は、当該抽出されたオクターブバンド情報を平均することにより、上述したオクターブバンド情報ＯＣＢj,kを生成する。
【００３５】
また、生成部１３０は、解析情報ＡＮＩから、楽曲解析情報ＭＡＩ＃ｐの楽器出現頻度情報ＡＰＦ＃ｐを読み取る。次に、生成部１３０は、楽器出現頻度情報ＡＰＦ＃ｐ（ｐ＝１，…）から、地域ＡＲj（ｊ＝１，…）において作製年ＹＲk（ｋ＝１，…）に作製された複数の楽曲の楽器出現頻度情報を抽出する。引き続き、生成部１３０は、当該抽出された楽器出現頻度情報を平均することにより、上述した楽器出現頻度情報ＡＰＦj,kを生成する。
【００３６】
また、生成部１３０は、解析情報ＡＮＩから、楽曲解析情報ＭＡＩ＃ｐのＬ／Ｒ位相差情報ＰＨＤ＃ｐを読み取る。次に、生成部１３０は、Ｌ／Ｒ位相差情報ＰＨＤ＃ｐ（ｐ＝１，…）から、地域ＡＲj（ｊ＝１，…）において作製年ＹＲk（ｋ＝１，…）に作製された複数の楽曲のＬ／Ｒ位相差情報を抽出する。引き続き、生成部１３０は、当該抽出されたＬ／Ｒ位相差情報を平均することにより、上述したＬ／Ｒ位相差情報ＰＨＤj,kを生成する。
【００３７】
次いで、生成部１３０は、当該生成されたオクターブバンド情報ＯＣＢj,k、楽器出現頻度情報ＡＰＦj,k及びＬ／Ｒ位相差情報ＰＨＤj,kを含んだ調整情報ＴＵＩを生成する。そして、生成部１３０は、調整情報ＴＵＩを記憶部１２０内に格納する。
【００３８】
上記の導出部１４０は、送受信部１１０から送られた指定属性情報ＰＰＤを受ける。当該指定属性情報ＰＰＤを受けると、導出部１４０は、記憶部１２０にアクセスして、調整情報ＴＵＩから、指定属性情報ＰＰＤに対応するオクターブバンド情報（以下、「設定用オクターブバンド情報ＯＣＢ」とも記す）、楽器出現頻度情報（以下、「設定用楽器出現頻度情報ＡＰＦ」とも記す）及びＬ／Ｒ位相差情報（以下、「設定用Ｌ／Ｒ位相差情報ＰＨＤ」とも記す）を読み取る。
【００３９】
これらの情報を読み取ると、導出部１４０は、まず、設定用オクターブバンド情報ＯＣＢにより示される周波数特性を音質調整設定値に特定する。引き続き、導出部１４０は、設定用楽器出現頻度情報ＡＰＦからピアノ、ベースの出現頻度を読み取る。そして、導出部１４０は、ピアノの出現頻度が第１所定値ＡＰ１以上のときには、特定された音質調整設定値におけるピアノ音の周波数帯域について、第１所定量ＧＰ１だけゲインを上げる。また、導出部１４０は、ピアノの出現頻度が第２所定値ＡＰ２以下のときには、特定された音質調整設定値におけるピアノ音の周波数帯域について、第２所定量ＧＰ２だけゲインを下げる。
【００４０】
また、導出部１４０は、ベースの出現頻度が第１所定値以上ＡＢ１のときには、特定された音質調整設定値におけるベース音の周波数帯域について、第１所定量ＧＢ１だけゲインを上げる。また、導出部１４０は、ベースの出現頻度が第２所定値ＡＢ２以下のときには、特定された音質調整設定値におけるベース音の周波数帯域について、第２所定量ＧＢ２だけゲインを下げる。
【００４１】
ここで、第１所定値ＡＰ１、第２所定値ＡＰ２、第１所定量ＧＰ１及び第２所定量ＧＰ２は、ピアノ音の出現頻度に応じて、ピアノ音の音量を適切に変化させるとの観点から、実験、シミュレーション、経験等に基づいて、予め定められる。また、第１所定値ＡＢ１、第２所定値ＡＢ２、第１所定量ＧＢ１及び第２所定量ＧＢ２は、ベース音の出現頻度に応じて、ベース音の音量を適切に変化させるとの観点から、実験、シミュレーション、経験等に基づいて、予め定められる。
【００４２】
また、導出部１４０は、設定用オクターブバンド情報ＯＣＢにより示される周波数特性の所定低音域のレベルが所定レベル値以上のときには、サブウーハスピーカの使用を「ＯＮ」にするスピーカ設定を生成する。一方、導出部１４０は、当該所定低音域のレベルが所定レベル値より小さいときには、サブウーハスピーカの使用を「ＯＦＦ」にするスピーカ設定を生成する。ここで、所定低音域の範囲及び所定レベル値は、低音域の音を適切に楽しむとの観点から、実験、シミュレーション、経験等に基づいて、予め定められる。
【００４３】
また、導出部１４０は、設定用Ｌ／Ｒ位相差情報ＰＨＤから、左音声信号と右音声信号との位相差が所定位相差より小さいときには、リバーブ処理を行う旨の信号加工設定を生成する。一方、導出部１４０は、当該位相差が所定位相差以上のときには、リバーブ処理を行わない旨の信号加工設定を生成する。ここで、所定位相差は、そのままの左音声と右音声とではモノラル感が強いときには、拡がり感を与えるとの観点から、実験、シミュレーション、経験等に基づいて、予め定められる。
【００４４】
そして、導出部１４０は、ゲイン調整を施した音質調整設定値に関する音質調整設定更新情報、スピーカ設定に関するスピーカ設定更新情報、及び、信号加工設定に関する信号加工設定更新情報を、設定更新情報ＳＥＩとして送受信部１１０へ送る。
【００４５】
＜音響装置２００の構成＞
上記の音響装置２００の構成について、説明する。
【００４６】
音響装置２００は、図２に示されるように、楽曲情報供給部２２０と、調整設定部２３０と、音出力部２５０とを備えている。また、音響装置２００は、入力部２６０と、属性情報取得部２７０と、送受信部２８０とを備えている。
【００４７】
上記の楽曲情報供給部２２０は、再生用の楽曲コンテンツデータに基づいて、楽曲信号ＭＵＤを生成する。そして、楽曲情報供給部２２０は、生成された楽曲信号ＭＵＤを、調整設定部２３０へ送る。ここで、楽曲情報供給部２２０は、属性情報取得部２７０又は調整設定部２３０から送られた供給指示を受けたときに、楽曲信号ＭＵＤを調整設定部２３０へ送るようになっている。
【００４８】
また、楽曲情報供給部２２０は、楽曲コンテンツデータから、当該楽曲コンテンツデータの楽曲に対応する地域及び楽曲の作製年を読み取る。こうして読み取られた楽曲に対応する地域に関する情報及び楽曲の作製年情報は、再生楽曲属性情報として属性情報取得部２７０へ送られる。
【００４９】
上記の調整設定部２３０は、管理装置１００から送信された設定更新情報ＳＥＩを、送受信部２８０を介して受信し、当該設定更新情報ＳＥＩに基づいて音響処理に関する設定更新を行う。そして、調整設定部２３０は、楽曲情報供給部２２０から送られた楽曲信号ＭＵＤを受けると、楽曲信号ＭＵＤに対して音響処理を施して、音出力部２５０へ送る再生音声信号を生成する。調整設定部２３０の構成の詳細については、後述する。
【００５０】
上記の音出力部２５０は、本実施形態では、高音用スピーカであるツイータスピーカＳＰTW、中音用スピーカであるミッドレンジスピーカＳＰMR、超低音用スピーカであるサブウーハスピーカＳＰSWを備えて構成されている。音出力部２５０は、調整設定部２３０から送られた再生音声信号を受ける。そして、音出力部２５０は、再生音声信号に従った楽曲音をスピーカＳＰTW，ＳＰMR，ＳＰSWから出力する。
【００５１】
上記の入力部２６０は、音響装置２００に設けられたキー部、及び／又はキー部を備えるリモート入力装置等により構成されている。この入力部２６０をユーザが操作することにより、音響装置２００の動作内容の設定や動作指令が行われる。例えば、楽曲コンテンツの再生指定等を、ユーザが入力部２６０を利用して行う。
【００５２】
上記の属性情報取得部２７０は、楽曲情報供給部２２０から送られた再生楽曲属性情報を受ける。属性情報取得部２７０は、保持用属性情報を内部に保持していないときには、取得した再生楽曲属性情報を保持用属性情報として保持する。そして、属性情報取得部２７０は、再生楽曲属性情報を指定属性情報ＰＰＤとして送受信部２８０へ送る。
【００５３】
また、属性情報取得部２７０は、保持用属性情報を内部に保持しているときには、再生楽曲属性情報を受けるごとに、保持用属性情報と今回取得した再生楽曲属性情報とが同一であるか否かの同一性判定を行う。当該同一性判定の結果が肯定的であった場合には、属性情報取得部２７０は、供給指示を楽曲情報供給部２２０へ送る。
【００５４】
一方、当該同一性判定の結果が否定的であった場合には、属性情報取得部２７０は、供給待機指示を楽曲情報供給部２２０へ送るとともに、再生楽曲属性情報を指定属性情報ＰＰＤとして送受信部２８０へ送る。そして、属性情報取得部２７０は、今回取得した再生楽曲属性情報を保持用属性情報として内部に保持する。すなわち、属性情報取得部２７０は、第１取得部の機能を果たすようになっている。
【００５５】
上記の送受信部２８０は、属性情報取得部２７０から送られた指定属性情報ＰＰＤを受ける。そして、送受信部２８０は、当該指定属性情報ＰＰＤを、ネットワークを介して、管理装置１００へ送信する。
【００５６】
また、送受信部２８０は、管理装置１００から、ネットワークを介して、設定更新情報ＳＥＩを受信する。そして、送受信部２８０は、当該設定更新情報ＳＥＩを調整設定部２３０へ送る。すなわち、送受信部２８０は、送信部及び第２取得部の機能を果たすようになっている。
【００５７】
《調整設定部２３０の構成》
調整設定部２３０の構成について、説明する。
【００５８】
調整設定部２３０は、図５に示されるように、音質調整部２３１と、残響音信号生成部２３２と、加算部２３３とを備えている。また、調整設定部２３０は、スピーカ設定部２３４と、制御部２３９とを備えている。
【００５９】
上記の音質調整部２３１は、制御部２３９から送られた音質調整設定更新情報を受ける。そして、音質調整部２３１は、当該音質調整設定更新情報により示される値を、音質調整設定値ＥＱに設定する。こうして音質調整設定値ＥＱが設定されると、音質調整部２３１は、楽曲情報供給部２２０から送られた楽曲信号ＭＵＤに音質調整処理を施して、音質調整信号ＡＦＤを生成する。こうして生成された音質調整信号ＡＦＤは、残響音信号生成部２３２及び加算部２３３へ送られる。
【００６０】
上記の残響音信号生成部２３２は、音質調整部２３１から送られた音質調整信号ＡＦＤを受ける。そして、残響音信号生成部２３２は、音質調整信号ＡＦＤに対して、例えば、コムフィルタ及びオールパスフィルタを使用した残響音信号の生成処理等の所定の処理を施して、残響音信号ＲＶＤを生成する。こうして生成された残響音信号ＲＶＤは、加算部２３３へ送られる。
【００６１】
上記の加算部２３３は、音質調整部２３１から送られた音質調整信号ＡＦＤを受けるとともに、残響音信号生成部２３２から送られた残響音信号ＲＶＤを受ける。また、加算部２３３は、制御部２３９から送られた信号加工設定更新情報を受ける。そして、加算部２３３は、信号加工設定更新情報の内容がリバーブ処理を行うものであるときには、音質調整信号ＡＦＤ及び残響音信号ＲＶＤを加算した加工信号ＰＲＤを生成して、スピーカ設定部２３４へ送る。一方、加算部２３３は、信号加工設定更新情報の内容がリバーブ処理を行わないものであるときには、音質調整信号ＡＦＤを加工信号ＰＲＤとして、スピーカ設定部２３４へ送る。
【００６２】
上記のスピーカ設定部２３４は、加算部２３３から送られた加工信号ＰＲＤを受ける。また、スピーカ設定部２３４は、制御部２３９から送られたスピーカ設定更新情報を受ける。そして、スピーカ設定部２３４は、スピーカ設定更新情報の内容がサブウーハスピーカの使用を「ＯＮ」にするものであるときには、すべてのスピーカから楽曲音を出力すべき再生音声信号を、音出力部２５０へ送る。一方、スピーカ設定部２３４は、スピーカ設定更新情報の内容がサブウーハスピーカの使用を「ＯＦＦ」にするものであるときには、サブウーハスピーカＳＰSW以外のスピーカから楽曲音を出力すべき再生音声信号を、音出力部２５０へ送る。
【００６３】
上記の制御部２３９は、楽曲コンテンツデータに基づく楽曲音の再生を制御する。この制御部２３９は、送受信部２８０から送られた設定更新情報ＳＥＩを受ける。そして、当該設定更新情報ＳＥＩを受けると、制御部２３９は、設定更新情報ＳＥＩに含まれる音質調整設定更新情報を音質調整部２３１へ送る。また、制御部２３９は、設定更新情報ＳＥＩに含まれる信号加工設定更新情報を加算部２３３へ送るとともに、設定更新情報ＳＥＩに含まれるスピーカ設定更新情報をスピーカ設定部２３４へ送る。
【００６４】
こうして管理装置１００から送信された設定更新情報ＳＥＩの設定更新が完了すると、制御部２３９は、供給指示を楽曲情報供給部２２０へ送る。
【００６５】
［動作］
以上のようにして構成された管理装置１００及び音響装置２００が協働して実行する動作について、音響装置２００による楽曲再生処理及び管理装置１００による音響調整管理処理（設定更新情報の導出処理）に主に着目して説明する。
【００６６】
前提として、管理装置１００の生成部１３０が、調整情報ＴＵＩを生成し、記憶部１２０内に格納しているものとする。
【００６７】
＜音響装置２００による楽曲再生処理＞
まず、音響装置２００による楽曲再生処理について、説明する。
【００６８】
音響装置２００による楽曲再生処理については、図６に示されるように、まず、ステップＳ１１において、属性情報取得部２７０が、新たな楽曲の再生に際して、楽曲情報供給部２２０から送られた再生楽曲属性情報を受けたか否かを判定する。この判定の結果が否定的であった場合（ステップＳ１１：Ｎ）には、ステップＳ１１の処理が繰り返される。
【００６９】
ステップＳ１１の繰り返し中に、属性情報取得部２７０が新たな再生楽曲属性情報を取得し、ステップＳ１１における判定の結果が肯定的になると（ステップＳ１１：Ｙ）、処理はステップＳ１２へ進む。ステップＳ１２では、属性情報取得部２７０が、新たに受けた再生楽曲属性情報と、内部に保持している保持用属性情報とが同一であるか否かを判定する。なお、属性情報取得部２７０は、保持用属性情報を内部に保持していないときには、ステップＳ１２において、否定的な判定を行うようになっている。この判定の結果が肯定的であった場合（ステップＳ１２：Ｙ）には、属性情報取得部２７０は、供給指示を楽曲情報供給部２２０へ送る。そして、処理は、後述するステップＳ１６へ進む。
【００７０】
ステップＳ１２における判定の結果が否定的であった場合（ステップＳ１２：Ｎ）には、処理はステップＳ１３へ進む。ステップＳ１３では、楽曲情報供給部２２０が、再生楽曲属性情報を指定属性情報ＰＰＤとして送受信部２８０へ送る。また、楽曲情報供給部２２０は、今回取得した再生楽曲属性情報を保持用属性情報として内部に保持する。そして、送受信部２８０が、当該指定属性情報ＰＰＤを、ネットワークを介して、管理装置１００へ送信する。
【００７１】
引き続き、ステップＳ１４において、制御部２３９が、設定更新情報ＳＥＩを受信したか否かを判定する。この判定の結果が否定的であった場合（ステップＳ１４：Ｎ）には、ステップＳ１４の処理が繰り返される。
【００７２】
なお、ステップＳ１３において音響装置２００から送信された指定属性情報ＰＰＤを、管理装置１００が受信すると、管理装置１００において、後述する「設定更新情報の導出処理」が実行される。そして、設定更新情報ＳＥＩが導出されると、管理装置１００は、設定更新情報ＳＥＩ、ネットワークを介して、音響装置２００へ送信する。
【００７３】
設定更新情報ＳＥＩを受信し、ステップＳ１４における判定の結果が肯定的になると（ステップＳ１４：Ｙ）、処理はステップＳ１５へ進む。ステップＳ１５では、制御部２３９が、当該設定更新情報ＳＥＩに含まれる音質調整設定更新情報を音質調整部２３１へ送る。また、制御部２３９は、設定更新情報ＳＥＩに含まれる信号加工設定更新情報を加算部２３３へ送るとともに、設定更新情報ＳＥＩに含まれるスピーカ設定更新情報をスピーカ設定部２３４へ送る。次いで、制御部２３９は、供給指示を楽曲情報供給部２２０へ送る。
【００７４】
引き続き、ステップＳ１６において、楽曲情報供給部２２０が、調整設定部２３０の音質調整部２３１への楽曲信号ＭＵＤの供給を開始する。この後、処理はステップＳ１１へ戻る。
【００７５】
こうして楽曲信号ＭＵＤが音質調整部２３１に供給されると、音質調整部２３１が、更新された音質調整設定値ＥＱに基づき、楽曲信号ＭＵＤに音質調整処理を施して音質調整信号ＡＦＤを生成する。そして、音質調整部２３１は、生成された音質調整信号ＡＦＤを、残響音信号生成部２３２及び加算部２３３へ送る。音質調整信号ＡＦＤを受けた残響音信号生成部２３２は、音質調整信号ＡＦＤの残響音信号ＲＶＤを生成し、加算部２３３へ送る。
【００７６】
次いで、加算部２３３が、信号加工設定更新情報に従って、音質調整信号ＡＦＤに残響音信号ＲＶＤを加算した信号、又は、音質調整信号ＡＦＤそのものを、加工信号ＰＲＤとしてスピーカ設定部２３４へ送る。引き続き、スピーカ設定部２３４が、スピーカ設定更新情報に従って再生音声信号を生成し、音出力部２５０へ送る。この結果、音出力部２５０の選択されたスピーカから、楽曲に対応する地域及び作製年の調整設定に適合した楽曲音が出力される。
【００７７】
以後、新たな楽曲の再生が行われるごとに、上述したステップＳ１１〜Ｓ１６の処理が実行される。
【００７８】
＜管理装置１００による設定更新情報の導出処理＞
次に、管理装置１００による設定更新情報の導出処理について、説明する。
【００７９】
管理装置１００による設定更新情報の導出処理については、図７に示されるように、まず、ステップＳ２１におけて、導出部１４０が、音響装置２００から送信される指定属性情報ＰＰＤを受信したか否かを判定する。この判定の結果が否定的であった場合（ステップＳ２１：Ｎ）には、ステップＳ２１の処理が繰り返される。
【００８０】
ステップＳ２１の繰り返し中に、導出部１４０が新たな指定属性情報ＰＰＤを受信し、ステップＳ２１における判定の結果が肯定的になると（ステップＳ２１：Ｙ）、処理はステップＳ２２へ進む。ステップＳ２２では、導出部１４０が、記憶部１２０にアクセスして、調整情報ＴＵＩから、指定属性情報ＰＰＤに対応する設定用オクターブバンド情報ＯＣＢ、設定用楽器出現頻度情報ＡＰＦ及び設定用Ｌ／Ｒ位相差情報ＰＨＤを読み取る。この後、処理はステップＳ２３へ進む。
【００８１】
ステップＳ２３では、導出部１４０が、音質調整設定の更新情報を生成する。かかる音質調整設定の更新情報の生成に際して、導出部１４０は、まず、設定用オクターブバンド情報ＯＣＢにより示される周波数特性を音質調整設定値に特定する。引き続き、導出部１４０は、設定用楽器出現頻度情報ＡＰＦに含まれるピアノの出現頻度が第１所定値ＡＰ１以上のときには、特定された音質調整設定値におけるピアノ音の周波数帯域について、第１所定量ＧＰ１だけゲインを上げる。また、導出部１４０は、ピアノの出現頻度が第２所定値ＡＰ２以下のときには、特定された音質調整設定値におけるピアノ音の周波数帯域について、第２所定量ＧＰ２だけゲインを下げる。
【００８２】
また、導出部１４０は、ベースの出現頻度が第１所定値ＡＢ１以上のときには、特定された音質調整設定値におけるベース音の周波数帯域について、第１所定量ＧＢ１だけゲインを上げる。また、導出部１４０は、ベースの出現頻度が第２所定値ＡＢ２以下のときには、特定された音質調整設定値におけるベース音の周波数帯域について、第２所定量ＧＢ２だけゲインを下げる。
【００８３】
引き続き、ステップＳ２４において、導出部１４０が、スピーカ設定の更新情報を生成する。かかるスピーカ設定の更新情報の生成に際して、導出部１４０は、設定用オクターブバンド情報ＯＣＢにより示される周波数特性の所定低音域のレベルが所定レベル値以上のときには、サブウーハスピーカの使用を「ＯＮ」にするスピーカ設定を生成する。一方、導出部１４０は、当該所定低音域のレベルが所定レベル値より小さいときには、サブウーハスピーカの使用を「ＯＦＦ」にするスピーカ設定を生成する。
【００８４】
次いで、ステップＳ２５において、導出部１４０が、信号加工設定の更新情報を生成する。かかる信号加工設定の更新情報の生成に際して、導出部１４０は、設定用Ｌ／Ｒ位相差情報ＰＨＤから、左音声信号と右音声信号との位相差が所定位相差より小さいときには、リバーブ処理を行う旨の信号加工設定を生成する。一方、導出部１４０は、当該位相差が所定位相差以上のときには、リバーブ処理を行わない旨の信号加工設定を生成する。この後、処理はステップＳ２６へ進む。
【００８５】
引き続き、ステップＳ２６において、導出部１４０が、音質調整設定値の更新情報、スピーカ設定の更新情報及び信号加工設定の更新情報を、設定更新情報ＳＥＩとして送受信部１１０へ送る。そして、送受信部１１０が、当該設定更新情報ＳＥＩを、ネットワークを介して、音響装置２００へ送信する。この後、処理はステップＳ２１へ戻る。以後、ステップＳ２１〜Ｓ２６の処理が繰り返される。
【００８６】
以上説明したように、本実施形態では、楽曲の再生出力に際して、楽曲情報供給部２２０が楽曲信号ＭＵＤを調整設定部２３０へ供給する前に、属性情報取得部２７０が、再生される楽曲の再生楽曲属性情報を、楽曲情報供給部２２０から取得する。そして、属性情報取得部２７０は、新たに取得した再生楽曲属性情報と、内部に保持している保持用属性情報とが同一であるか否かの同一判定を行い、当該判定の結果が肯定的であった場合には、供給指示を楽曲情報供給部２２０へ送る。一方、同一判定の結果が否定的であった場合には、属性情報取得部２７０は、再生楽曲属性情報を指定属性情報ＰＰＤとして、管理装置１００へ送信する。
【００８７】
管理装置１００では、指定属性情報ＰＰＤを受信すると、導出部１４０が、記憶部１２０の調整情報ＴＵＩから、指定属性情報ＰＰＤに対応する設定用オクターブバンド情報ＯＣＢ、設定用楽器出現頻度情報ＡＰＦ及び設定用Ｌ／Ｒ位相差情報ＰＨＤを取得する。引き続き、導出部１４０は、設定用オクターブバンド情報ＯＣＢにより示される周波数特性を音質調整設定値に特定する。また、導出部１４０は、設定用楽器出現頻度情報ＡＰＦに含まれるピアノやベースの出現頻度に基づいて、特定された音質調整設定値におけるピアノ音やベース音の周波数帯域について、ゲイン調整を行う。
【００８８】
また、導出部１４０は、設定用オクターブバンド情報ＯＣＢにより示される周波数特性の所定低音域のレベルに基づき、サブウーハスピーカの「ＯＮ／ＯＦＦ」を指定したスピーカ設定を生成する。また、導出部１４０は、設定用Ｌ／Ｒ位相差情報ＰＨＤに基づき、リバーブ処理の実行又は非実行を指定した信号加工設定を生成する。そして、導出部１４０は、音質調整設定値の更新情報、スピーカ設定の更新情報及び信号加工設定の更新情報を、設定更新情報ＳＥＩとして音響装置２００へ送信する。
【００８９】
設定更新情報ＳＥＩを受けた音響装置２００では、調整設定部２３０の制御部２３９が、音質調整設定値の更新情報を音質調整部２３１へ送る。また、制御部２３９は、信号加工設定の更新情報を加算部２３３へ送るとともに、スピーカ設定の更新情報をスピーカ設定部２３４へ送る。こうして音声調整についての設定更新が行われると、楽曲情報供給部２２０が、楽曲信号ＭＵＤを音質調整部２３１に供給し、音質調整部２３１が、更新された音質調整設定値ＥＱに基づき、楽曲信号ＭＵＤに音質調整処理を施して音質調整信号ＡＦＤを生成する。そして、音質調整部２３１は、生成された音質調整信号ＡＦＤを、残響音信号生成部２３２及び加算部２３３へ送る。次いで、加算部２３３が、信号加工設定に従って、音質調整信号ＡＦＤに残響音信号ＲＶＤを加算した信号、又は、音質調整信号ＡＦＤそのものを、加工信号ＰＲＤとしてスピーカ設定部２３４へ送る。次に、スピーカ設定部２３４が、スピーカ設定に従って再生音声信号を生成し、音出力部２５０へ送る。
【００９０】
このため、本実施形態では、再生出力される楽曲に対応する地域及び作製年の音質特徴に合わせた音質調整設定を、音響装置２００に対して設定することができる。また、本実施形態では、再生出力される楽曲に対応する地域及び作製年の平均的な楽曲における楽器の出現頻度に応じて、出現頻度が高い楽器については当該楽器の周波数帯域のゲインを高くし、出現頻度が低い楽器については当該楽器の周波数帯域のゲインを低くする態様の音質調整設定を、音響装置２００に対して設定することができる。
【００９１】
また、本実施形態では、再生出力される楽曲に対応する地域及び作製年の平均的な楽曲の周波数特性から、低音域の音を強調したほうがよいと判定した場合には、低音域の音出力を強調したスピーカ選定を行うことができる。
【００９２】
また、本実施形態では、再生出力される楽曲に対応する地域及び作製年の平均的な楽曲の左音声信号と右音声信号の位相差から、モノラル感が強いと判定した場合には、リバーブ処理を行うことができる。
【００９３】
したがって、本実施形態によれば、様々な国や地域の楽曲の特徴に合った音声調整処理を行うことができる。
【００９４】
［実施形態の変形］
本発明は、上記の実施形態に限定されるものではなく、様々な変形が可能である。
【００９５】
例えば、上記の実施形態では、管理装置に記憶される調整情報は、地域ごと及び当該地域に対応付けられた楽曲の作製年ごとの情報とした。これに対して、調整情報を、地域ごと及び当該地域に対応付けられた楽曲の作製年及び楽曲のジャンルごとの情報としてもよい。
【００９６】
この場合には、指定属性情報（再生楽曲属性情報）には、再生する楽曲に対応する地域に関する情報に対応付けられた楽曲の作製年情報及び楽曲のジャンル情報が含まれるようにすることができる。
【００９７】
また、記憶部の調整情報を、地域ごと及び当該地域に対応付けられた楽曲のジャンルごとの情報としてもよい。この場合には、指定属性情報（再生楽曲属性情報）には、楽曲に対応する地域に関する情報に対応付けられた楽曲のジャンル情報が含まれるようにすることができる。
【００９８】
また、記憶部の調整情報を、地域ごとに対応付けられた情報としてもよい。この場合には、指定属性情報（再生楽曲属性情報）は楽曲に対応する地域に関する情報から成るようにすることができる。
【００９９】
また、上記の実施形態では、音響装置の設定更新を行うに際して、「音質調整設定の更新」、「信号加工設定の更新」及び「スピーカ設定の更新」を行うようにした。これに対して、これら３つのうちの任意の１つ設定更新又は任意の組み合せの２つの設定更新を行うようにしてもよい。
【０１００】
また、上記の実施形態では、音質調整設定の更新情報を生成するに際して、導出部は、設定用オクターブバンド情報により示される周波数特性を音質調整設定値に特定した後、当該特定された音質調整設定値に対して、ピアノやベースの出現頻度に応じてゲイン調整を行うようにした。これに対して、導出部は、設定用オクターブバンド情報により示される周波数特性を音響装置に送信する音質調整設定値に特定し、その後の楽器の出現頻度に応じたゲイン調整を行わないようにしてもよい。
【０１０１】
また、上記の実施形態では、設定用オクターブバンド情報により示される周波数特性を音質調整設定値に特定した後、当該特定された音質調整設定値に対して、ピアノやベースの出現頻度に応じてゲイン調整を行うようにした。これに対して、ピアノやベース以外の楽器についての出現頻度を解析し、出現頻度が高い楽器については当該楽器の周波数帯域のゲインを高くし、出現頻度が低い楽器については当該楽器の周波数帯域のゲインを低くする態様の音質調整設定を行うようにしてもよい。
【０１０２】
また、楽器に限らず、声質（歌唱法）の出現頻度を解析し、出現頻度が声質については当該声質の周波数帯域のゲインを高くし、出現頻度が低い声質については当該声質の周波数帯域のゲインを低くする態様の音質調整設定を行うようにしてもよい。
【０１０３】
また、上記の実施形態では、スピーカ設定の更新情報の内容を、サブウーハスピーカの使用の「ＯＮ」又は「ＯＦＦ」とした。これに対して、設定用オクターブバンド情報により示される周波数特性から、高音域の音を強調するか否かを判定し、当該判定の結果に基づいて、ツイータスピーカの使用の「ＯＮ」又は「ＯＦＦ」を設定するようにしてもよい。
【０１０４】
さらに、設定用オクターブバンド情報により示される周波数特性から、低音域及び高音域の音を強調するか否かを判定し、当該判定の結果に基づいて、サブウーハスピーカの使用の「ＯＮ」又は「ＯＦＦ」、及び、ツイータスピーカの使用の「ＯＮ」又は「ＯＦＦ」の組み合せを決定し、当該決定結果をスピーカ設定の更新情報の内容とするようにしてもよい。
【０１０５】
また、設定用オクターブバンド情報により示される周波数特性の全帯域のバランスから、スピーカシステムにおけるネットワークのクロスオーバー周波数を決定し、当該決定結果を音響装置の設定に反映させるようにしてもよい。
【０１０６】
また、実施形態では、調整情報を記憶した記憶部が管理装置に備えられ、管理装置が設定更新情報を導出するようにした。これに対して、音響装置が、調整情報を記憶した記憶部を備え、指定属性情報に基づき設定更新情報を導出するようにしてもよい。
【０１０７】
また、上記の実施形態では、指定属性情報の内容を、再生する楽曲に関する情報とした。これに対して、指定属性情報の内容を、ユーザの国籍や居住する国や地域等の属性としてもよい。この場合には、当該ユーザの国籍や居住する国や地域等の属性に合った音声調整処理を行うことができる。
【０１０８】
また、上記の実施形態においては、車両に配置される音響装置に本発明を適用したが、車両以外の他の移動体に配置される音響装置にも本発明を適用することもできる。また、家庭内に配置される音響装置にも本発明を適用することができる。
【０１０９】
上記の管理装置の一部又は全部を中央処理装置（ＣＰＵ：Central Processing Unit）等を備えた演算手段としてのコンピュータとして構成し、予め用意されたプログラムを当該コンピュータで実行することにより、上記の実施形態における管理装置の機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【０１１０】
上記の音響装置の一部又は全部（入力部及び音出力部を除く）を中央処理装置（ＣＰＵ：Central Processing Unit）等を備えた演算手段としてのコンピュータとして構成し、予め用意されたプログラムを当該コンピュータで実行することにより、上記の実施形態における音響装置の機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【図１】
2016151721.tif 000003
【図２】
2016151721.tif 000004
【図３】
2016151721.tif 000005
【図４】
2016151721.tif 000006
【図５】
2016151721.tif 000007
【図６】
2016151721.tif 000008
【図７】
2016151721.tif 000009
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
楽曲が作製された地域に関する地域情報を含む属性情報と、前記属性情報に対応する楽曲再生に関する調整情報とを関連付けて記憶する記憶部と；
音響装置から、再生される楽曲が作製された地域に関する指定地域情報を取得する第１取得部と；
前記記憶部に記憶されている情報及び前記指定地域情報に基づいて、前記再生される楽曲が作製された地域に適合した調整設定である前記音響装置の設定更新情報を導出し、前記設定更新情報を前記音響装置に送信する導出部と；
を備えることを特徴とする管理装置。
【請求項２】
楽曲情報と、前記楽曲情報に対応付けられている楽曲属性情報とを取得する第２取得部と；
前記第２取得部により取得された楽曲情報を解析して前記楽曲情報の特性を示す楽曲特性情報を生成し、前記楽曲特性情報及び前記第２取得部により取得された楽曲属性情報に基づいて、前記属性情報と関連付けて前記記憶部に記憶される前記調整情報を生成する生成部と；を更に備える、
ことを特徴とする請求項１に記載の管理装置。
【請求項３】
前記調整情報は、周波数特性に関する情報であり、
前記導出部は、前記指定地域情報に対応する前記周波数特性を反映した音質更新情報を、前記設定更新情報として導出する、
ことを特徴とする請求項１に記載の管理装置。
【請求項４】
前記調整情報は、所定の楽器の出現頻度であり、
前記導出部は、前記指定地域情報に対応する前記所定の楽器の出現頻度を反映した音質更新情報を、前記設定更新情報として導出する、
ことを特徴とする請求項１に記載の管理装置。
【請求項５】
前記調整情報は、周波数特性に関する情報であり、
前記導出部は、前記指定地域情報に対応する前記周波数特性を反映した最適スピーカ構成の更新情報を、前記設定更新情報として導出する、
ことを特徴とする請求項１に記載の管理装置。
【請求項６】
前記調整情報は、左音声信号と右音声信号との位相差であり、
前記導出部は、前記指定地域情報に対応する前記位相差を反映した拡がり感付加処理の更新情報を、前記設定更新情報として導出する、
ことを特徴とする請求項１に記載の管理装置。
【請求項７】
前記属性情報には、作製年情報及びジャンル情報の少なくとも一方が含まれ、
前記第１取得部は、前記音響装置において再生される楽曲の作製年情報及びジャンル情報の少なくとも一方を更に取得し、
前記導出部は、前記指定地域情報に加え、前記第１取得部により取得された前記作製年情報及びジャンル情報の少なくとも一方に更に基づいて、前記設定更新情報を導出する、
ことを特徴とする請求項１に記載の管理装置。
【請求項８】
再生する楽曲が作製された地域に関する地域情報を含む属性情報を取得する第１取得部と；
前記属性情報を指定属性情報として、管理装置へ送信する送信部と；
前記指定属性情報に基づいて導出された、前記再生する楽曲が作製された地域に適合した調整設定である楽曲再生に関する設定更新情報を、前記管理装置から取得する第２取得部と；
前記第２取得部により取得された前記設定更新情報に基づいて、前記楽曲の再生を制御する制御部と；
を備えることを特徴とする音響装置。
【請求項９】
前記指定属性情報には指定地域が含まれ、前記指定地域は、前記再生する楽曲が作製された地域である、ことを特徴とする請求項８に記載の音響装置。
【請求項１０】
前記指定属性情報には、前記再生する楽曲の作製年情報及びジャンル情報の少なくとも一方が含まれる、ことを特徴とする請求項８に記載の音響装置。
【請求項１１】
楽曲が作製された地域に関する地域情報を含む属性情報と、前記属性情報に対応する楽曲再生に関する調整情報とを関連付けて記憶する記憶部と；取得部と；導出部と；を備える管理装置において使用される音響調整管理方法であって、
前記取得部が、音響装置から、再生される楽曲が作製された地域に関する指定地域情報を取得する取得工程と；
前記導出部が、前記記憶部に記憶されている情報及び前記指定地域情報に基づいて、前記再生される楽曲が作製された地域に適合した調整設定である前記音響装置の設定更新情報を導出する導出工程と；
前記導出部が、前記設定更新情報を前記音響装置に送信する送信工程と；
を備えることを特徴とする音響調整管理方法。
【請求項１２】
管理装置が有するコンピュータに、請求項１１に記載の音響調整管理方法を実行させる、ことを特徴とする音響調整管理プログラム。
【請求項１３】
管理装置が有するコンピュータにより読み取り可能に、請求項１２に記載の音響調整管理プログラムが記録されている、ことを特徴とする記録媒体。
【請求項１４】
第１取得部と；送信部と；第２取得部と；制御部とを備え、楽曲を再生する音響装置において使用される楽曲再生方法であって、
前記第１取得部が、再生する楽曲が作製された地域に関する地域情報を含む属性情報を取得する第１取得工程と；
前記送信部が、前記属性情報を指定属性情報として、管理装置へ送信する送信工程と；
前記第２取得部が、前記指定属性情報に基づいて導出された前記再生する楽曲が作製された地域に適合した調整設定である楽曲再生に関する設定更新情報を、前記管理装置から取得する第２取得工程と；
前記制御部が、前記第２取得工程において取得された前記設定更新情報に基づいて、前記楽曲の再生を制御する制御工程と；
を備えることを特徴とする楽曲再生方法。
【請求項１５】
音響装置が有するコンピュータに、請求項１４に記載の楽曲再生方法を実行させる、ことを特徴とする楽曲再生プログラム。
【請求項１６】
音響装置が有するコンピュータにより読み取り可能に、請求項１５に記載の楽曲再生プログラムが記録されている、ことを特徴とする記録媒体。
【手続補正２】
【補正対象書類名】明細書
【補正対象項目名】０００９
【補正方法】変更
【補正の内容】
【０００９】
請求項１に記載の発明は、楽曲が作製された地域に関する地域情報を含む属性情報と、前記属性情報に対応した楽曲再生に関する調整情報とを関連付けて記憶する記憶部と；音響装置から、再生される楽曲が作製された地域に関する指定地域情報を取得する第１取得部と；前記記憶部に記憶されている情報及び前記指定地域情報に基づいて、前記再生される楽曲が作製された地域に適合した調整設定である前記音響装置の設定更新情報を導出し、前記設定更新情報を前記音響装置に送信する導出部と；を備えることを特徴とする管理装置である。
【手続補正３】
【補正対象書類名】明細書
【補正対象項目名】００１０
【補正方法】変更
【補正の内容】
【００１０】
請求項８に記載の発明は、再生する楽曲が作製された地域に関する地域情報を含む属性情報を取得する第１取得部と；前記属性情報を指定属性情報として、管理装置へ送信する送信部と；前記指定属性情報に基づいて導出された、前記再生する楽曲が作製された地域に適合した調整設定である楽曲再生に関する設定更新情報を、前記管理装置から取得する第２取得部と；前記第２取得部により取得された前記設定更新情報に基づいて、前記楽曲の再生を制御する制御部と；を備えることを特徴とする音響装置である。
【手続補正４】
【補正対象書類名】明細書
【補正対象項目名】００１１
【補正方法】変更
【補正の内容】
【００１１】
請求項１１に記載の発明は、楽曲が作製された地域に関する地域情報を含む属性情報と、前記属性情報に対応する楽曲再生に関する調整情報とを関連付けて記憶する記憶部と；取得部と；導出部と；を備える管理装置において使用される音響調整管理方法であって、前記取得部が、音響装置から、再生される楽曲が作製された地域に関する指定地域情報を取得する取得工程と；前記導出部が、前記記憶部に記憶されている情報及び前記指定地域情報に基づいて、前記再生される楽曲が作製された地域に適合した調整設定である前記音響装置の設定更新情報を導出する導出工程と；前記導出部が、前記設定更新情報を前記音響装置に送信する送信工程と；を備えることを特徴とする音響調整管理方法である。
【手続補正５】
【補正対象書類名】明細書
【補正対象項目名】００１２
【補正方法】変更
【補正の内容】
【００１２】
請求項１２に記載の発明は、管理装置が有するコンピュータに、請求項１１に記載の音響調整管理方法を実行させる、ことを特徴とする音響調整管理プログラムである。
【手続補正６】
【補正対象書類名】明細書
【補正対象項目名】００１３
【補正方法】変更
【補正の内容】
【００１３】
請求項１３に記載の発明は、管理装置が有するコンピュータにより読み取り可能に、請求項１２に記載の音響調整管理プログラムが記録されている、ことを特徴とする記録媒体である。
【手続補正７】
【補正対象書類名】明細書
【補正対象項目名】００１４
【補正方法】変更
【補正の内容】
【００１４】
請求項１４に記載の発明は、第１取得部と；送信部と；第２取得部と；制御部とを備え、楽曲を再生する音響装置において使用される楽曲再生方法であって、前記第１取得部が、再生する楽曲が作製された地域に関する地域情報を含む属性情報を取得する第１取得工程と；前記送信部が、前記属性情報を指定属性情報として、管理装置へ送信する送信工程と；前記第２取得部が、前記指定属性情報に基づいて導出された前記再生する楽曲が作製された地域に適合した調整設定である楽曲再生に関する設定更新情報を、前記管理装置から取得する第２取得工程と；前記制御部が、前記第２取得工程において取得された前記設定更新情報に基づいて、前記楽曲の再生を制御する制御工程と；を備えることを特徴とする楽曲再生方法である。
【手続補正８】
【補正対象書類名】明細書
【補正対象項目名】００１５
【補正方法】変更
【補正の内容】
【００１５】
請求項１５に記載の発明は、音響装置が有するコンピュータに、請求項１４に記載の楽曲再生方法を実行させる、ことを特徴とする楽曲再生プログラムである。
【手続補正９】
【補正対象書類名】明細書
【補正対象項目名】００１６
【補正方法】変更
【補正の内容】
【００１６】
請求項１６に記載の発明は、音響装置が有するコンピュータにより読み取り可能に、請求項１５に記載の楽曲再生プログラムが記録されている、ことを特徴とする記録媒体である。
【手続補正１０】
【補正対象書類名】図面
【補正対象項目名】図７
【補正方法】変更
【補正の内容】
【図７】
2016151721.tif 000010
【国際調査報告】
2016151721.tif 000011
2016151721.tif 000012